【手続補正書】
【提出日】平成17年11月28日(2005.11.28)
【手続補正１】
【補正対象書類名】明細書
【補正対象項目名】発明の名称
【補正方法】変更
【補正の内容】
【発明の名称】医療診断装置の作動方法
【手続補正２】
【補正対象書類名】明細書
【補正対象項目名】特許請求の範囲
【補正方法】変更
【補正の内容】
【特許請求の範囲】
【請求項１】  検査では、検査対象物の撮像すべき領域が診断装置の撮像ボリューム内に横たわされ、診断装置の第1の作動パラメータセットにより、撮像すべき領域の第1のデータセットが取得され、第1の作動パラメータセットおよび第1のデータセットが記憶され、
撮像すべき領域が新たに撮像ボリューム内に横たわされる後続検査では、記憶されている第1の作動パラメータセットにより、撮像すべき領域の第1の後続データセットが取得され、記憶され、
検査と後続検査との間の撮像ボリュームに関する撮像すべき領域の位置変化を求めるために第1のデータセットと第1の後続データセットとが互いに比較され、
求められた位置変化に整合させられた記憶されている第1の作動パラメータセットにより、別の第1の後続データセットが取得される
ことを特徴とする医療診断装置の作動方法。
【請求項２】  検査では、第２の作動パラメータセットにより、撮像すべき領域の第２のデータセットが作成され、第２の作動パラメータセットおよび第２のデータセットが記憶され、
後続検査では、記憶されている第２の作動パラメータセットにより、撮像すべき領域の第２の後続データセットが作成され、
後続検査では、検査と後続検査の間の撮像ボリュームに関する撮像すべき領域の位置変化を求めるために第２のデータセットと第２の後続データセットとが互いに比較され、
後続検査では、求められた位置変化に整合させられた記憶されている第２の作動パラメータセットにより、別の第２の後続データセットが取得される
ことを特徴とする請求項１記載の方法。
【請求項３】  検査では、検査対象物の撮像すべき領域が診断装置の撮像ボリューム内に横たわされ、診断装置の第1の作動パラメータセットにより、撮像すべき領域の第1のデータセットが取得され、第1の作動パラメータセットおよび第1のデータセットが記憶され、第２の作動パラメータセットにより、撮像すべき領域の少なくとも１つの第２のデータセットが作成され、第２の作動パラメータセットおよび第２のデータセットが記憶され、
撮像すべき領域が新たに撮像ボリューム内に横たわされる後続検査では、記憶されている第1の作動パラメータセットにより、撮像すべき領域の第1の後続データセットが取得され、記憶され、
検査と後続検査との間の撮像ボリュームに関する撮像すべき領域の位置変化を求めるために第1のデータセットと第1の後続データセットとが互いに比較され、
求められた位置変化に整合させられた記憶されている第２の作動パラメータセットにより、第２の後続データセットが取得される
ことを特徴とする医療診断装置の作動方法。
【請求項４】  検査では、第３の作動パラメータセットにより、撮像すべき領域の第３のデータセットが作成され、第３の作動パラメータセットおよび第３のデータセットが記憶され、
後続検査では、検査と後続検査の間の撮像ボリュームに関する撮像すべき領域の位置変化を求めるために第２のデータセットと第２の後続データセットとが互いに比較され、
後続検査では、求められた位置変化に整合させられた記憶されている第３の作動パラメータセットにより、第３の後続データセットが取得される
ことを特徴とする請求項３記載の方法。
【請求項５】  求められた位置変化が前もって設定されている閾値と比較され、求められた位置変化が閾値を超えた場合に整合が行われることを特徴とする請求項１乃至４の１つに記載の方法。
【請求項６】  整合は、後続検査において、整合させられた作動パラメータセットにより取得された後続データセットが、作動パラメータセットによる検査において作成されたデータセットと同一の撮像すべき領域を表すように行われることを特徴とする請求項１乃至５の１つに記載の方法。
【請求項７】  方法が中断され、比較が行われた結果位置変化に関する確実な情報を求めることができないことが通知されることを特徴とする請求項１乃至６の１つに記載の方法。
【請求項８】  診断装置が磁気共鳴装置であることを特徴とする請求項１乃至７の１つに記載の方法。
【手続補正３】
【補正対象書類名】明細書
【補正対象項目名】００１１
【補正方法】変更
【補正の内容】
【００１１】
【課題を解決するための手段】
この課題は、本発明によれば、検査では、検査対象物の撮像すべき領域が診断装置の撮像ボリューム内に横たわされ、診断装置の第1の作動パラメータセットにより、撮像すべき領域の第1のデータセットが取得され、第1の作動パラメータセットおよび第1のデータセットが記憶され、
撮像すべき領域が新たに撮像ボリューム内に横たわされる後続検査では、記憶されている第1の作動パラメータセットにより、撮像すべき領域の第1の後続データセットが取得され、記憶され、
検査と後続検査との間の撮像ボリュームに関する撮像すべき領域の位置変化を求めるために第1のデータセットと第1の後続データセットとが互いに比較され、
求められた位置変化に整合させられた記憶されている第1の作動パラメータセットにより、別の第1の後続データセットが取得される
ことによって解決される。
なお、検査では、第２の作動パラメータセットにより、撮像すべき領域の第２のデータセットが作成され、第２の作動パラメータセットおよび第２のデータセットが記憶され、後続検査では、記憶されている第２の作動パラメータセットにより、撮像すべき領域の第２の後続データセットが作成され、後続検査では、検査と後続検査の間の撮像ボリュームに関する撮像すべき領域の位置変化を求めるために第２のデータセットと第２の後続データセットとが互いに比較され、後続検査では、求められた位置変化に整合させられた記憶されている第２の作動パラメータセットにより、別の第２の後続データセットが取得される（請求項２）。
【手続補正４】
【補正対象書類名】明細書
【補正対象項目名】００１２
【補正方法】変更
【補正の内容】
【００１２】
さらに、この課題は、本発明によれば、検査では、検査対象物の撮像すべき領域が診断装置の撮像ボリューム内に横たわされ、診断装置の第1の作動パラメータセットにより、撮像すべき領域の第1のデータセットが取得され、第1の作動パラメータセットおよび第1のデータセットが記憶され、第２の作動パラメータセットにより、撮像すべき領域の少なくとも１つの第２のデータセットが作成され、第２の作動パラメータセットおよび第２のデータセットが記憶され、
撮像すべき領域が新たに撮像ボリューム内に横たわされる後続検査では、記憶されている第1の作動パラメータセットにより、撮像すべき領域の第1の後続データセットが取得され、記憶され、
検査と後続検査との間の撮像ボリュームに関する撮像すべき領域の位置変化を求めるために第1のデータセットと第1の後続データセットとが互いに比較され、
求められた位置変化に整合させられた記憶されている第２の作動パラメータセットにより、第２の後続データセットが取得される
ことによっても解決される。
なお、検査では、第３の作動パラメータセットにより、撮像すべき領域の第３のデータセットが作成され、第３の作動パラメータセットおよび第３のデータセットが記憶され、後続検査では、検査と後続検査の間の撮像ボリュームに関する撮像すべき領域の位置変化を求めるために第２のデータセットと第２の後続データセットとが互いに比較され、後続検査では、求められた位置変化に整合させられた記憶されている第３の作動パラメータセットにより、第３の後続データセットが取得される（請求項４）。
求められた位置変化が前もって設定されている閾値と比較され、求められた位置変化が閾値を超えた場合に整合が行われる（請求項５）。
整合は、後続検査において、整合させられた作動パラメータセットにより取得された後続データセットが、作動パラメータセットによる検査において作成されたデータセットと同一の撮像すべき領域を表すように行われる（請求項６）。
方法が中断され、比較が行われた結果位置変化に関する確実な情報を求めることができないことが通知される（請求項７）。
診断装置が磁気共鳴装置である（請求項８）。
【手続補正５】
【補正対象書類名】明細書
【補正対象項目名】００２９
【補正方法】変更
【補正の内容】
【００２９】
図３の第２フローチャートにおける後続検査３０´のステップ３１´〜３３´も図２の第１フローチャートのステップ３１〜３３と同一である。しかし、これに続いて、ステップ３４´において、ステップ３３´において求められた位置変化に整合させられた記憶されている第２の作動パラメータセットにより第２の後続データセットが取得される。時間節約の理由から、第１フローチャートのステップ３４に基づく別の第１の後続データセットの取得は行われない。第２フローチャートの場合、第１の後続データセットの相応の整合のために場合によってはこのセットを遡及的に修正することができる。